(57)【要約】【課題】手首の疲れを生じ難く、持ち運び易く、作業し易い電動グリースガンを提供する。【解決手段】電動グリースガン１は、本体ケース３、カバー体５、ホース７、及び注油ボトルアセンブリ９を備え、本体ケース３のバッテリ収納部１０が、注油ボトルアッセンブリ９と平行となるストレート形状の把持部Ａとなっていて、この把持部Ａの上端前側にトリガ２８が突出している。把持部Ａの上部に位置するモータ収納部２０は、把持部Ａより胴回りが大きく、後端面は把持部Ａの後端面と面一とされ、前端面は把持部Ａの前端面よりも前方に飛び出す様に構成される結果、モータ収納部２０と把持部Ａとの間には、把持部Ａを利き手で把持したとき、親指と人差し指の側面全体にモータ収納部２０の下部が当接する様に、段差部２９が外にせり出す様に形成されたものとなっている。【選択図】図１
0003190114.tif 000002
【実用新案登録請求の範囲】
【請求項１】
バッテリで駆動されるモータによって偏心ピンを備えたギアを回転させることにより、該偏心ピンに係合させたスライダの前後動を生じさせ、該スライダに取り付けたロッドをシリンダ部内で往復動させることにより、該シリンダ部の下側に上向きに取り付けられたグリースボトルからグリースを吸い出し、前記シリンダ部の前端に取り付けたノズルから吐出する電動グリースガンであって、前記スライダ、ギア、モータ、及びバッテリを内蔵する本体ケースと、前記グリースボトルを前記シリンダ部の下側に取り付けるための注油ボトルアッセンブリとを備えると共に、さらに、以下の構成をも備えていることを特徴とする電動グリースガン。
（１）前記本体ケースの内部には、下から順番に、バッテリ収納部、モータ収納部及び機構部品収納部を備え、前記モータ収納部には、前記モータを回転軸を上に向けて収納し、前記機構部品収納部には、前記ギアを前記回転軸の後方において前記偏心ピンを上向きにする様に収納すると共に、前記スライダを前記偏心ピンに対して上側から係合する様に収納し、前記機構部品収納部の前方に前記シリンダ部を備え、前記ロッドを前記機構部品収納部及び前記シリンダ部に対して両端のそれぞれが挿入された状態となる様に収納したこと。
（２）前記バッテリ収納部の外面を、前記注油ボトルアッセンブリと平行でほぼストレート形状の把持部とし、該把持部の上端前側にトリガを突出させたこと。
（３）前記本体ケースは、前記トリガの直上位置において外へせり出す段差部を有する外面形状を備えていること。
【請求項２】
さらに、以下の構成をも備えたことを特徴とする請求項１記載の電動グリースガン。
（４）前記シリンダ部と、該シリンダ部の下方からグリースを吸い上げる吸油路と、前記シリンダ部の前端側に前記ノズルを取り付けるノズル取付部とが形成され、前記シリンダ部が前記機構部品収納部と連通する様に、前記本体ケースに対して取り付けられるカバー体を備えていること。
（５）前記注油ボトルアッセンブリは、前記カバー体に対して、前記グリースボトルの口を前記吸油路に連通させる様に取り付けると共に該グリースボトルに対して押圧力を付与する機構を備えていること。
【請求項３】
さらに、以下の構成をも備えたことを特徴とする請求項２に記載の電動グリースガン。
（６）前記カバー体及び前記本体ケースの上面に、肩掛け紐を架け渡すための紐通しを備えていること。
【考案の詳細な説明】
【技術分野】
【０００１】
本考案は、各種機器等にグリースを注油するためのグリースガンに係り、特に、カートリッジ式グリスと充電式バッテリとを備えた携帯型の電動グリースガンに関する。
【背景技術】
【０００２】
従来、この種の電動グリースガンとして種々の提案が知られている（特許文献１〜４）。
【０００３】
特許文献１に記載された電動グリースガンは、図５（Ａ）に示す様に、水平に伸びるガン本体の右端から下方に伸びる把持部の下部にバッテリを収納し、ガン本体の中央部にギヤ，スライダ，ローラ等の機械部品を収納すると共に、ガン本体の前端部分にプランジャ等のシリンダ部品を収納し、機械部品の下側にモータ収納部を、シリンダ部品の下側にグリス収納部を備え、把持部のトリガを操作すること、バッテリを電源としてモータを駆動し、機械部品及び吐出部品の動作によって吐出管からグリスを吐出する構成で、全体としてピストルの様な形状となっている。
【０００４】
特許文献２に記載された電動グリースガンは、図５（Ｂ）に示す様に、直流モータを収納する本体ケースの一部を、着脱式バッテリーの収納ケース兼一方の把持部とし、蛇腹式カートリッジを収納する着脱自在なカートリッジ収納ケースを他方の把持部として、前後の把持部を両手で握って操作できる様にしたものである。 
【０００５】
特許文献３に記載の電動グリースガンは、図５（Ｃ）に示す様に、把持部とモータ収納部を連結したものであり、特許文献４に記載の電動グリースガンは、図５（Ｄ）に示す様に、把持部の上方にモータ収納部を備える様にしたものである。 
【先行技術文献】
【特許文献】
【０００６】
【特許文献１】特開平１−１０４９８２号（図１）
【特許文献２】実開平６−２８２７３号（要約、図１）
【特許文献３】米国特許第７０３２７１３号明細書（ＦＩＧ．３）
【特許文献４】米国特許第６１３５３２７号明細書（ＦＩＧ．１）
【考案の概要】
【考案が解決しようとする課題】
【０００７】
特許文献１〜３に記載された電動グリースガンは、把持部とグリス収納部の間にモータ収納部が存在すると共に、把持部のトリガに指を掛けて操作する関係から、把持部とモータ収納部の間隔をある程度以上大きく確保する必要がある。このため、グリースガンの前後方向長さが必然的に大きくなり、把持部を握る手に加わるモーメントが大きく、持ち運びや作業の際に手首が疲れ易いという問題がある。
【０００８】
特許文献４に記載の電動グリースガンは、モータ収納部が上に設けられる分だけグリースガンの前後方向の全長を短くすることができるが、配線が長くなり、組立作業等が煩雑になるという問題がある。また、グリース注入作業の際にモータ収納部が邪魔になって作業性を損なうという問題もある。
【０００９】
また、特許文献１〜４に記載の電動グリースガンは、持ち運びに当たって常に把持部を握っていなければならず、自重による回転モーメントが手首に加わるため、疲労し易いという問題がある。加えて、特許文献１〜４に記載の電動グリースガンは、記録作業を行いながらグリース補充をする場合や、グリースを補充すべき箇所を図面で確認しながら作業する場合などにおいて、グリースガンを床面に置いたり、機械に立てかけたりする必要があり、作業性の面からも問題がある。
【００１０】
そこで、本考案は、手首の疲れを生じ難く、持ち運び易く、作業し易い電動グリースガンを提供することを目的とする。
【課題を解決するための手段】
【００１１】
上記目的を達成するためになされた本考案の電動グリースガンは、バッテリで駆動されるモータによって偏心ピンを備えたギアを回転させることにより、該偏心ピンに係合させたスライダの前後動を生じさせ、該スライダに取り付けたロッドをシリンダ部内で往復動させることにより、該シリンダ部の下側に上向きに取り付けられたグリースボトルからグリースを吸い出し、前記シリンダ部の前端に取り付けたノズルから吐出する電動グリースガンであって、前記スライダ、ギア、モータ、及びバッテリを内蔵する本体ケースと、前記グリースボトルを前記シリンダ部の下側に取り付けるための注油ボトルアッセンブリとを備えると共に、さらに、以下の構成をも備えていることを特徴とする。
（１）前記本体ケースの内部には、下から順番に、バッテリ収納部、モータ収納部及び機構部品収納部を備え、前記モータ収納部には、前記モータを回転軸を上に向けて収納し、前記機構部品収納部には、前記ギアを前記回転軸の後方において前記偏心ピンを上向きにする様に収納すると共に、前記スライダを前記偏心ピンに対して上側から係合する様に収納し、前記機構部品収納部の前方に前記シリンダ部を備え、前記ロッドを前記機構部品収納部及び前記シリンダ部に対して両端のそれぞれが挿入された状態となる様に収納したこと。
（２）前記バッテリ収納部の外面を、前記注油ボトルアッセンブリと平行でほぼストレート形状の把持部とし、該把持部の上端前側にトリガを突出させたこと。
（３）前記本体ケースは、前記トリガの直上位置において外へせり出す段差部を有する外面形状を備えていること。
【００１２】
本考案の電動グリースガンによれば、注油ボトルアッセンブリと平行に形成したほぼストレート形状の把持部にはバッテリが収納されている。そして、把持部の直上にモータが収納される。従って、バッテリとモータの接続のための配線等が単純で、組立が容易となる。また、本体ケースの外面に形成した段差部により、トリガに掛けた指の上面を段差部下面に当てる様にして作業することができる。この結果、トリガを操作する動作が安定し、トリガを操作する際の指の負担を軽減することができる。また、トリガを中心とする重量バランスがモータ及びバッテリと、グリースボトルとで相殺される結果、グリース充填作業を長時間行っても手首の疲れを生じ難く、作業性を向上することができる。
【００１３】
本考案の電動グリースガンは、さらに、以下の構成をも備えるとよい。
（４）前記シリンダ部と、該シリンダ部の下方からグリースを吸い上げる吸油路と、前記シリンダ部の前端側に前記ノズルを取り付けるノズル取付部とが形成され、前記シリンダ部が前記機構部品収納部と連通する様に、前記本体ケースに対して取り付けられるカバー体を備えていること。
（５）前記注油ボトルアッセンブリは、前記カバー体に対して、前記グリースボトルの口を前記吸油路に連通させる様に取り付けると共に該グリースボトルに対して押圧力を付与する機構を備えていること。
【００１４】
カバー体側にシリンダ部を備えさせることにより、本体ケースは上部に若干膨らみを有するほぼ直線状のものとして構成することができ、前後方向の長さを抑制することができる。また、本体ケースと別体のカバー体を備えることで、油密性等を要求されるシリンダ部を金属鋳造部品とするなどの対応も容易となる。また、グリースボトルには押圧力が付与されているから、ロッドの往復動に伴い、スムーズにグリースを吸い出すことができる。
【００１５】
本考案の電動グリースガンは、さらに、以下の構成をも備えるとよい。
（６）前記カバー体及び前記本体ケースの上面に、肩掛け紐を架け渡すための紐通しを備えていること。
【００１６】
肩掛け紐で肩に掛けて持ち運ぶことができるから、両手をあけて図面を確認したり、注油記録を記入することができる。また、本考案の電動グリースガンは、本体ケースの前後方向長さが抑制されているから、肩に掛けたときに邪魔にならず、上述の様な図面確認作業や注油記録作業に支障を来すこともない。
【考案の効果】
【００１７】
本考案によれば、手首の疲れを生じ難く、持ち運び易く、作業し易い電動グリースガンを提供することができる。
【図面の簡単な説明】
【００１８】
【図１】実施例１の電動グリースガンを示し、（Ａ）は斜視図、（Ｂ）は断面図である。
【図２】実施例１の電動グリースガンを示し、（Ａ）は分解斜視図、（Ｂ）は拡大断面図である。
【図３】実施例１の電動グリースガンを示し、（Ａ）は蛇腹式グリースボトルの装着方法を示す説明図、（Ｂ）は注油アッセンブリの装着前の準備状態を示す説明図、（Ｃ）はバッテリーの装着方法を示す説明図である。
【図４】実施例１の電動グリースガンの持ち運び状態を示す説明図である。
【図５】従来技術の説明図である。
【考案を実施するための形態】
【００１９】
本考案を実施するための形態について実施例で説明する。
【実施例１】
【００２０】
実施例１の電動グリースガン１は、図１に示す様に、本体ケース３と、カバー体５と、ホース７と、注油ボトルアセンブリ９とを備えている。
【００２１】
本体ケース３は、合成樹脂製の射出成形品で構成され、図２（Ａ）の分解斜視図に示す様に、右ケース３Ｒ及び左ケース３Ｌに左右半割とされ、六角ナット４ａとなべ小ねじ４ｂで組み立てられる。本体ケース３の内部には、図１（Ｂ），図２（Ａ）に示す様に、バッテリ収納部１０、モータ収納部２０、及び機構部品収納部３０が区画されている。
【００２２】
図２（Ａ）に示す様に、バッテリ収納部１０には、バッテリ１１が収納され、下からセットプレート１２で蓋される。モータ収納部２０には、ギア軸２１、サーマルプロテクター２２、板ナット２３、モータ２４、マイクロスイッチ２５、バッテリ端子２６、ロックレバー２７、及びトリガ２８が収納される。機構部品収納部３０の下側には、ニードルベアリング３１、ギア３２、及びピニオンギア３３が収納され、機構部品収納部３０の上側には、ロッドホルダ４１、シール４２、スライド軸受け４３、及びスライダ４４が収納される。ロッドホルダ４１は、スライダ４４の先端に六角穴付ボルト４５でネジ止め固定される。
【００２３】
カバー体５は、アルミ合金製の鋳造品で構成され、六角袋ナット５１、シャフト５２、ばね座金５３、平座金５４、及びスペーサ５５を用いて本体ケース３の上側に取り付けられる。カバー体５には、図１（Ｂ）に示す様に、シリンダ部６１と、ホース取付部６２と、吸油路６３とが互いに連通する内部空間として形成されている。
【００２４】
シリンダ部６１には、図１（Ｂ），図２（Ａ），（Ｂ）に示す様に、ロッドホルダ４１に保持されたロッド６５が後方から挿入される。なお、シール４２とＵパッキン７１により、シリンダ部６１とスライダ収納部４０の間の油密性が保持されている。シリンダ部６１は、ロッド６５と同軸となる様に形成されている。吸油路６３は、シリンダ部６１の下側に直交する様に形成され、図３（Ａ）に示す様に、下側から蛇腹式グリースボトル２の口２ａをねじ込むことができる様に内ねじが形成されている。カバー体５の先端下側において吸油路６３と同心のキャップ状に形成される注油ホルダ６７には、下側から注油ボトルアッセンブリ９を螺合させることができる様に内ねじが形成されている。
【００２５】
注油ボトルアッセンブリ９は、図１（Ｂ），図２（Ａ）に示す様に、上端開口を有し、下端は閉じたステンレス製筒体からなり、円盤９ａ及びコイルバネ９ｂが内蔵されている。円盤９ａに取り付けられたチェーン９ｃの下端が注油ボトルアッセンブリ９の底から露出する様に伸ばされており、下端のリング９ｄによって円盤９ａ、コイルバネ９ｂが注油ボトルアッセンブリ９から脱落しない様に止められている。また、注油ボトルアッセンブリ９の側壁には、残量確認窓９ｅも備えられている。
【００２６】
カバー体５の注油ホルダ６７の上部には、図２（Ａ）に示す様に、シリンダ部６１と同軸のホース取付部６２が開口されている。このホース取付部６２には、Ｕパッキン７１、グリースガイド７２、ガイド７３、及びジョイント７４が装着される。ガイド７３には鋼球７５が備えられ、ジョイント７４には竹の子型の圧縮コイルスプリング７６が備えられている。そして、ジョイント７４に対してホース７が取り付けられる。
【００２７】
本体ケース３のバッテリ収納部１０は、図１（Ａ），（Ｂ）に示す様に、注油ボトルアッセンブリ９と平行となるストレート形状の把持部Ａとなっていて、この把持部Ａの上端前側にトリガ２８が突出している。
【００２８】
図１（Ｂ）に示す様に、トリガ２８は、その後端の爪でマイクロスイッチ２５の前端側に係合する様に回動可能に取り付けられている。トリガ２８を引くと、マイクロスイッチ２５が前端を持ち上げる様に回動され、バッテリ端子２６とモータ端子２４ａとを接続状態とする。これにより、モータ２４にバッテリ１１の電流が流れ、ピニオンギア３３及びギア３２が回転する。ギア３２の上面には偏心ピン３２ａが上方に突設されていて、ニードルベアリング３１を介して、スライダ４４に対して前後方向への運動を伝達する。このスライダ４４の前後方向への動作に伴って、シリンダ部６１内でロッド６５が往復動を行い、ポンプ機能が発揮される。これにより、蛇腹式グリースボトル２からグリースが吸油路６３、シリンダ部６１へと吸い出され、鋼球７５が圧縮コイルスプリング７６を押圧して開弁状態として、グリースをホース７から吐出させる。
【００２９】
蛇腹式グリースボトル２は、図３（Ａ）に示す様に、キャップ２ｂを外して、注油ホルダ６７の中心に開口する吸油路６３へと口２ａをねじ込む様にして取り付ける。そして、図３（Ｂ）に示す様に、注油ボトルアッセンブリ９のリング９ｄを引いてチェーン９ｃを底の切り欠き部９ｇに引っ掛けて円盤９ａを下へ下げた状態とする。この状態の注油ボトルアッセンブリ９を、注油ホルダ６７のねじにねじ込む様にして取り付けた後、切り欠き部９ｇからチェーン９ｃを外すと、コイルバネ９ｂが伸びて円盤９ａを介して蛇腹式グリースボトル２に対して押圧力を加えた状態にセットすることができる。これにより、ロッド６５の往復動に伴ってグリースを吸油路６３へとスムーズに流出させることができる。
【００３０】
バッテリー１１は、グリース充填作業に先立ち、別途用意された図示しないバッテリー充電器によって充電したうえで、図３（Ｃ）に示す様に、保護カバー１１ａを取り外し、ケース本体３の把持部Ａの下端のセットプレート１２を開いて、バッテリ収納部１０へと下から装填する。使用に当たっては、図３（Ａ）に示す様に、ロックレバー２７をロック位置から解除位置へと回動させ、ホース７の先端のノズルを注油箇所に挿入してトリガ２８を引く。
【００３１】
図１（Ｂ）に示す様に、ストレート形状の把持部Ａの上部に位置するモータ収納部２０は、把持部Ａより胴回りが大きく、後端面は把持部Ａの後端面と面一とされ、前端面は把持部Ａの前端面よりも前方に飛び出す様に構成されている。その結果、モータ収納部２０と把持部Ａとの間には、把持部Ａを利き手で把持したとき、親指と人差し指の側面全体にモータ収納部２０の下部が当接する様に、段差部２９が外にせり出す様に形成されたものとなっている。この段差部２９があることにより、トリガ２８を押圧しているとき、または押圧しないで照準を合わせているときのいずれにおいても、指の側面で荷重を支えることができ、電動グリースガン１の本体を安定的に支持することができる。なお、本実施例では、把持部Ａの表面は平坦であるが、把持しやすいように指の形状に合わせて凹凸形状（窪み）を有していてもよい。
【００３２】
本実施例においては、図２（Ａ）に示す様に、モータ収納部２０には、回転シャフトを上向きにしてモータ２４を収納する。バッテリ１１との接続は、モータ２４の下端側で行うことから、長い配線を必要とせしない。また、機構部品収納部３０を、モータ収納部２０の上に隣接または近接して配置することを可能にしている。
【００３３】
モータ２４の回転力は、ギア３２の偏心軸３２ａに嵌められたニードルベアリング３１を介してスライダ４４に伝達され、ロッドホルダ４１を介して連結されたロッド６５に伝達される構造となっている。このとき、ロッド６５を、ロッドホルダ４１に対して固定せずにフリーに接続することにより、ロッド６５にスムーズな水平往復動を行わせることができ、各種シール部材の摩耗を低減することができる様に構成してある。
【００３４】
本体ケース３及びカバー体５の上面には、それぞれ、紐通し用の穴８１，８１が一体成形により形成されている。これらに適宜カラビナ等を介して肩掛け紐８２を架け渡すことで、図４に示す様に、電動グリースガン１を肩に掛けて持ち運ぶことができ、記録作業を行いながらグリース補充をする場合や、グリースを補充すべき箇所を図面で確認しながら補充する場合に好都合であり、長時間継続して作業を行うことができる。
【００３５】
以上、本考案の実施例について説明したが、本考案はこれらの実施例に限られるものではなく、その要旨を逸脱しない範囲内においてさらに種々の形態で実施することができる。
【産業上の利用可能性】
【００３６】
各種産業機械、トラクター、耕耘機等の農業機械、運搬車等において注油が必要な箇所（摺動部分等）へのグリース充填作業に利用することができる。
【符号の説明】
【００３７】
１・・・電動グリースガン、２・・・蛇腹式グリースボトル、２ａ・・・口、２ｂ・・・ボトルキャップ、３・・・本体ケース、３Ｒ・・・右ケース、３Ｌ・・・左ケース、４ａ・・・六角ナット、４ｂ・・・なべ小ねじ、５・・・カバー体、７・・・ホース、９・・・注油ボトルアセンブリ、９ａ・・・円盤、９ｂ・・・コイルバネ、９ｃ・・・チェーン、９ｄ・・・リング、９ｅ・・・残量確認窓、１０・・・バッテリ収納部、１１・・・バッテリ、１２・・・セットプレート、２０・・・モータ収納部、２１・・・ギア軸、２２・・・サーマルプロテクター、２３・・・板ナット、２４・・・モータ、２４ａ・・・モータ端子、２５・・・マイクロスイッチ、２６・・・バッテリ端子、２７・・・ロックレバー、２８・・・トリガ、２９・・・指当て段差、３０・・・ギア収納部、３１・・・ニードルベアリング、３２・・・ギア、３２ａ・・・偏心ピン、３３・・・ピニオンギア、４０・・・スライダー収納部、４１・・・ロッドホルダ、４２・・・シール、４３・・・スライド軸受け、４４・・・スライダ、４５・・・六角穴付ボルト、５１・・・六角袋ナット、５２・・・シャフト、５３・・・ばね座金、５４・・・平座金、５５・・・スペーサ、６１・・・シリンダ部、６２・・・ホース取付部、６３・・・吸油路、６５・・・ロッド、６６・・・カラー、６７・・・注油ホルダ、７１・・・Ｕパッキン、７２・・・グリースガイド、７３・・・ガイド、７４・・・ジョイント、７５・・・鋼球、７６・・・圧縮コイルスプリング、８１・・・紐通し用の穴、８２・・・肩掛け紐、Ａ・・・ストレート形状の把持部。
【図１】
0003190114.tif 000003
【図２】
0003190114.tif 000004
【図３】
0003190114.tif 000005
【図４】
0003190114.tif 000006
【図５】
0003190114.tif 000007